(57)【要約】【課題】防火性に優れた樹脂製建具を提供する。【解決手段】枠体の中空部内の金属製の補強部材と框体の中空部内の金属製の補強部材との間に加熱されて発泡する加熱発泡材を備え、引き寄せ部材は、枠体と框体とのうちのいずれか一方に設けられた金属製の係合部材と、枠体と框体とのうちの他方に設けられ係合部材と係合する金属製の受け部材とが、加熱発泡材を介して補強部材にそれぞれ固定されており、係合部材は、加熱されて、一方に設けられた補強部材との間に介在された加熱発泡材が当該係合部材より他方側に発泡することを許容する膨出許容部を有する。【選択図】図３
2015048572.tif 000002
【特許請求の範囲】
【請求項１】
中空部を有する樹脂製の枠体と、
前記枠体に囲まれた内周側に配置され、面材を収容し中空部を有する樹脂製の框体、を有して前記枠体に開閉自在に設けられた障子と、
前記障子を閉じた状態にて当該障子を前記枠体側に引き寄せる引き寄せ部材と、
を有する樹脂製建具であって、
前記枠体及び前記框体の前記中空部内に金属製の補強部材を有し、
前記枠体が有する前記補強部材と前記框体が有する前記補強部材との間に、加熱されて発泡する加熱発泡材と、を備え、
前記引き寄せ部材は、前記枠体と前記框体とのうちのいずれか一方に設けられた金属製の係合部材と、
前記枠体と前記框体とのうちの他方に設けられ前記係合部材と係合する金属製の受け部材とが、前記加熱発泡材を介して前記補強部材に固定されており、
前記係合部材は、加熱されて、前記一方に設けられた前記補強部材との間に介在された前記加熱発泡材が発泡して当該係合部材より前記他方側に膨出することを許容する膨出許容部を有することを特徴とする樹脂製建具。
【請求項２】
請求項１に記載の樹脂製建具であって、
前記係合部材と前記受け部材とは、互いに係合した状態にて、前記枠体側に固定されている部材が、前記框体側に固定されている部材より下側に位置していることを特徴とする樹脂製建具。
【請求項３】
請求項１または請求項２に記載の樹脂製建具であって、
前記係合部材が固定される前記枠体または前記框体は、見込み方向に並ぶ２つの前記中空部内に前記補強部材を各々備え、
前記係合部材は、
前記２つの中空部のうちの一方に備えられた前記補強部材に固定される第１固定部と、
前記第１固定部と繋がって前記受け部材と係合する係合部と、
前記係合部と繋がって、前記２つの中空部のうちの他方に備えられた前記補強部材に固定される第２固定部と、を有し、
前記膨出許容部は、前記係合部に設けられ見付け方向に貫通する開口であり、
前記第２固定部は、前記開口と見付け方向に対向する位置にて前記補強部材に固定されることを特徴とする樹脂製建具。
【発明の詳細な説明】
【技術分野】
【０００１】
本発明は、枠体と、枠体に囲まれた内周側に配置された障子とを有する樹脂製建具に関する。
【背景技術】
【０００２】
従来、枠体と、枠体に囲まれた内周側に配置された障子とを有する樹脂製建具は、枠体に対して障子をなす面材を確実に引き寄せて気密性を確保するために、障子の吊り元側の縦框と縦枠との間に、閉鎖した障子を屋内側（見込み方向一方側）に引き寄せる引寄部材が設けられている。引寄部材は、例えば、アルミ形材製の縦枠の見込み面部に固定される第１部材と、アルミ型材製の縦框の見込み面部に固定される第２部材とを備えており、開放した障子を閉じる際に、第１部材が有する傾斜面部と第２部材が有する傾斜面部とが互いに摺接し、障子を閉鎖した状態で傾斜面部同士が互いに密接することにより縦框および障子を屋内側に引き寄せるようになっている（例えば、特許文献１参照）。
【先行技術文献】
【特許文献】
【０００３】
【特許文献１】特願２０１１―１７９１６７号公報
【発明の概要】
【発明が解決しようとする課題】
【０００４】
近年、樹脂製の建具の需要が増えている。樹脂製建具の枠及び框は、火災等により枠や框が溶融されて変形すると、枠と框との間に、火炎が貫通する貫通孔が開いてしまうなど耐火性が低いおそれがあるという課題がある。
【０００５】
本発明は、かかる課題に鑑みてなされたものであり、その目的とするところは、防火性に優れた樹脂製建具を提供することにある。
【課題を解決するための手段】
【０００６】
かかる目的を達成するために本発明の樹脂製建具は、中空部を有する樹脂製の枠体と、前記枠体に囲まれた内周側に配置され、面材を収容し中空部を有する樹脂製の框体、を有して前記枠体に開閉自在に設けられた障子と、前記障子を閉じた状態にて当該障子を前記枠体側に引き寄せる引き寄せ部材と、を有する樹脂製建具であって、前記枠体及び前記框体の前記中空部内に金属製の補強部材を有し、前記枠体が有する前記補強部材と前記框体が有する前記補強部材との間に、加熱されて発泡する加熱発泡材と、を備え、前記引き寄せ部材は、前記枠体と前記框体とのうちのいずれか一方に設けられた金属製の係合部材と、前記枠体と前記框体とのうちの他方に設けられ前記係合部材と係合する金属製の受け部材とが、前記加熱発泡材を介して前記補強部材に固定されており、前記係合部材は、加熱されて、前記一方に設けられた前記補強部材との間に介在された前記加熱発泡材が発泡して当該係合部材より前記他方側に膨出することを許容する膨出許容部を有することを特徴とする樹脂製建具である。
【０００７】
このような樹脂製建具によれば、障子を閉じた状態にて当該障子を枠体側に引き寄せる引き寄せ部材を有しているので、障子を閉じた際には障子を枠体側に引き寄せて、より確実に障子を閉止した状態を維持することが可能である。そして、引き寄せ部材は、枠体と框体とのうちのいずれか一方に設けられた金属製の係合部材と、他方に設けられ係合部材と係合する金属製の受け部材とでなり、各々、枠体及び框体の中空部内に備えられた金属製の補強部材に固定されているので、たとえ、枠体や障子が加熱されて溶融するような場合であっても、係合部材及び受け部材は、脱落しない。このため、建具が火炎に晒されたとしても障子が閉止された状態を維持することが可能である。このとき、補強部材との間に加熱発泡材が介在されているので、建具が加熱された際には、枠体と框体との間の空隙内に発泡材が発泡する。このため、枠体と框体との間の空隙内に発泡材を充満させることが可能である。特に、係合部材には、枠体と框体とのうちのいずれか一方に設けられた補強部材との間に介在された加熱発泡材が発泡して当該係合部材より他方側に膨出することを許容する膨出許容部が設けられているので、係合部材及び受け部材が固定されている部位であっても、枠体と框体との間の空隙内に加熱発泡材をより充満させることが可能である。このため、建具が火炎等により加熱されたとしても、枠体と框体との間には、貫通孔が形成されないので、防火性に優れた樹脂製建具を提供することが可能である。
【０００８】
かかる樹脂製建具であって、前記係合部材と前記受け部材とは、互いに係合した状態にて、前記枠体側に固定されている部材が、前記框体側に固定されている部材より下側に位置していることが望ましい。
【０００９】
このような樹脂製建具によれば、枠体及び框体が加熱されて軟化し、框体の位置が下がったときには、係合部材と受け部材とが係合することにより、係合部材と受け部材とのうちの上側に位置している部材が固定されている框体が、下側に位置している部材が固定されている枠体に支持される。このため、枠体及び框体が加熱された際の障子の降下を抑えることが可能である。
【００１０】
かかる樹脂製建具であって、前記係合部材が固定される前記枠体または前記框体は、見込み方向に並ぶ２つの前記中空部内に前記補強部材を各々備え、前記係合部材は、前記２つの中空部のうちの一方に備えられた前記補強部材に固定される第１固定部と、前記第１固定部と繋がって前記受け部材と係合する係合部と、前記係合部と繋がって、前記２つの中空部のうちの他方に備えられた前記補強部材に固定される第２固定部と、を有し、前記膨出許容部は、前記係合部に設けられ見付け方向に貫通する開口であり、前記第２固定部は、前記開口と見付け方向に対向する位置にて前記補強部材に固定されることが望ましい。
【００１１】
このような樹脂製建具によれば、係合部材は、枠体または框体の、見込み方向に並ぶ２つの中空部内に各々備えられた補強部材に少なくとも２カ所で固定されているので、枠体または框体に安定した状態で且つ強固に固定することが可能である。また、第２固定部は、係合部材の、開口と見付け方向に対向する位置にて固定されるので、開口の内側に位置するように設けられている。このため、第２固定部を開口の外側に配置する場合より係合部材全体の面積を小さくすることが可能であり、係合部材が覆って、加熱発泡材の発泡が妨げられる面積をより小さくすることができるので、防火性を高めることが可能である。また、前記係合部材は左右どちらの勝手に対しても取り付け可能なため、部品点数を削減し、コストを低減することが可能である。
【発明の効果】
【００１２】
本発明によれば、防火性に優れた樹脂製建具を提供することが可能である。
【図面の簡単な説明】
【００１３】
【図１】本実施形態に係る樹脂製建具の横断面図である。
【図２】係合部材の斜視図である。
【図３】係合部材が取り付けられている状態を示す斜視図である。
【図４】受け部材を示す斜視図である。
【図５】障子開閉時の引き寄せ部材を示す図である。
【図６】障子を閉じた状態での係合部材と受け部材との係合状態を示す斜視図である。
【図７】図７（ａ）は、受け部材の第１変形例を示す斜視図であり、図７（ｂ）は、受け部材の第２変形例を示す斜視図である。
【発明を実施するための形態】
【００１４】
以下、本発明の一実施形態に係る樹脂製建具について図面を参照して説明する。
【００１５】
本実施形態の建具１は、図１に示すように、室内と室外とを連通する窓開口を形成する樹脂製の枠体２と、窓開口を閉塞可能な障子１０と、障子１０を閉じた状態にて当該障子１０を枠体２側に引き寄せる引き寄せ部材２０と、を有し、ハンドル４の操作により障子１０を回動しつつ開閉することが可能なたてすべり出し窓用の建具１である。
【００１６】
以下の説明においては、建物等に取り付けられた状態のたてすべり出し窓用の建具１を室内側から見たときに、枠体２、障子１０の上下となる方向を上下方向、左右となる方向を左右方向または見付け方向、室内外方向である奥行き方向を見込み方向として示す。また、たてすべり出し窓用の建具１を構成する部材は、単体の状態であってもたてすべり出し窓用の建具１が建物等に取り付けられた状態で上下方向、見付け方向、見込み方向等となる方向にて方向を特定して説明する。また、矩形状をなす枠体２及び障子１０の框体１２に囲まれた内側、すなわち障子１０の面内方向における中央側を枠体２及び框体１２に対する内周側、枠体２及び框体１２の外側、すなわち障子１０の面内方向における外側を枠体２及び框体１２に対する外周側として説明する。
【００１７】
枠体２は、上下に位置する上枠（不図示）及び下枠（不図示）と見付け方向において左右に位置する縦枠３とが矩形状に枠組みされて形成されている。
【００１８】
障子１０は、互いに対面する２枚の板ガラスが互いに間隔を隔てて接合された複層ガラス１１と、複層ガラス１１の周端部を収容する樹脂製の框体１２と、を有している。
【００１９】
障子１０が枠体２に囲まれた内周側に配置されて、窓開口を閉塞するように障子１０を閉じた状態で、枠体２と障子１０が有する框体１２とは、障子１０の面内方向において互いに対向する対向部２ａ、１２ａを有している。以下、枠体２の対向部を枠体対向部２ａ、框体１２の対向部を框体対向部１２ａという。
【００２０】
図１において、右側に位置する戸先側の枠体対向部２ａと框体対向部１２ａとの間に障子１０を閉止した状態に維持するロック機構６が設けられ、左側に位置する戸尻側の枠体対向部２ａと框体対向部１２ａとの間に引き寄せ部材２０が設けられている。
【００２１】
以下の説明では、引き寄せ部材２０が設けられている、図１において左側の縦枠３と縦框１３、すなわち戸尻側の縦枠３と縦框１３について主に説明する。
【００２２】
枠体２は、上枠及び下枠と左右の縦枠３とは各々、長手方向に沿って貫通する中空部３ａを備えている。上枠及び下枠と左右の縦枠３のうち、少なくとも左右の縦枠３の中空部３ａには、金属製の補強部材５が、ほぼ全長にわたって各々備えられている。
【００２３】
補強部材５は、断面がコ字状をなし、見付け方向に沿う見付け板部５ａと、見付け板部５ａの見付け方向における両縁から室外側に見込み方向に沿って延出された２つの見込み板部５ｂとを有し、コ字状の開放されている側が室外側に向くように配置されている。補強部材５は、縦枠３のほぼ矩形状をなす中空部３ａ内に備えられ、一方の見込み板部５ｂが中空部３ａをなす戸尻側の枠体対向部２ａに沿って配置され、補強部材５の障子１０側の見込み板部５ｂには、枠体対向部２ａにシート状の加熱発泡材１８が設けられている。
【００２４】
框体１２は、同一の断面形状をなす上框（不図示）及び下框（不図示）と見付け方向において左右に位置する縦框１３とが各々、４５度に切断された端部同士を突き合せて溶着され、矩形状に框組みされた框本体１４と、框本体１４に嵌合され当該框本体１４とともに複層ガラス１１の周端部を挟持する４本の押縁１５とを有している。
【００２５】
戸尻側の縦框１３は、複層ガラス１１の室内側にて複層ガラス１１の周端部１１ａと対向する位置から複層ガラス１１より外周側に至るような室内側中空部１３ａを形成する室内側框部１３ｂと、室内側框部１３ｂの複層ガラス１１より外周側に位置する部位と、見込み方向に並ぶように設けられた外周側中空部１３ｃを形成する外周側框部１３ｄと、外周側框部１３ｄの複層ガラス１１より室外側に突出する部位の外周側に突出された外周突出部１３ｅを有している。外周側框部１３ｄの複層ガラス１１の室外側に突出する部位の外周側には押縁１５が嵌合されている。
【００２６】
室内側框部１３ｂにて枠体対向部２ａと間隔を隔てて対向する室内対向部１３ｆと、外周側框部１３ｄにて枠体対向部２ａと間隔を隔てて対向する外周対向部１３ｇとが、枠体２の枠体対向部２ａと見付け方向に間隔を隔てて対向する框体対向部１２ａをなしている。室内対向部１３ｆは外周対向部１３ｇより障子１０の面内方向内周側に位置し、外周対向部１３ｇと段差を形成している。そして、障子１０が閉じられたときに、枠体対向部２ａと室内対向部１３ｆ及び外周対向部１３ｇとの間に形成される空隙１ａは、外周突出部１３ｅにより室外側から閉塞されている。
【００２７】
縦框１３の室内側中空部１３ａと外周側中空部１３ｃとには各々、金属製の補強部材１６、１７が備えられている。室内側中空部１３ａには、室内側框部１３ｂの室外側の壁部のうち複層ガラス１１より外周側に位置して外周側框部１３ｄと共有する部位１３ｈに沿って配置される室外壁部１６ａと、室外壁部１６ａと間隔を隔てて対向し、室内側框部１３ｂの室外側の壁部に沿って配置される室内壁部１６ｂと、室外壁部１６ａと室内壁部１６ｂとの外周側の縁が見込み方向に沿う見込み壁部１６ｃによりコの字状をなす補強部材１６が備えられている。
【００２８】
室内側中空部１３ａ内に設けられた補強部材１６は、見込み壁部１６ｃが室内対向部１３ｆと対向し、見込み壁部１６ｃの室内対向部１３ｆ側の面にシート状の加熱発泡材１８が設けられている。
【００２９】
外周側中空部１３ｃには、外周側框部１３ｄの複層ガラス１１側の壁部に沿って配置されるガラス側壁部１７ａと、ガラス側壁部１７ａと間隔を隔てて対向し外周対向部１３ｇに沿って配置される外周壁部１７ｂと、ガラス側壁部１７ａと外周壁部１７ｂとの室外側の縁が見付け方向に沿う見付け壁部１７ｃによりコの字状をなす補強部材１７が備えられている。
【００３０】
枠体対向部２ａと框体対向部１２ａをなす室内対向部１３ｆ及び外周対向部１３ｇとの間に設けられる引き寄せ部材２０は、縦框１３に設けられた金属製の係合部材２１と、枠体２に設けられた金属製の受け部材２２とを有している。
【００３１】
係合部材２１は、図２、図３に示すように、外周対向部１３ｇに当接されてビスにより外周対向部１３ｇを介して補強部材１７に固定される第１固定部としての外周固定部２１ａと、外周固定部２１ａの室内側の縁と繋がって外周側に斜めに延出され、室内側に向かって室内対向部１３ｆから離れる方向に傾斜した係合部２１ｂと、係合部２１ｂの室内側の部位が屈曲されて見付け方向に沿うように設けられた室内側板部２１ｃと、室内側板部２１ｃの内周側の縁から室外側に向かってほぼ直角に折り曲げられ室内対向部１３ｆに当接されてビスにより室内対向部１３ｆ及び加熱発泡材１８を介して補強部材１６に固定される第２固定部としての室内側固定部２１ｄと、を有している。
【００３２】
係合部材２１の外周固定部２１ａ、係合部２１ｂ、及び、室内側板部２１ｃは、上下方向の幅が同一であり、室内側固定部２１ｄは、ビス止めされた際に変形しない程度に小さく形成され、上下方向のほぼ中央に設けられている。また、外周固定部２１ａと係合部２１ｂとには、両者に繋がって見付け方向に貫通する膨出許容部としての開口２１ｅが設けられている。この開口２１ｅは、室内側固定部２１ｄより十分に大きく形成されており、開口２１ｅ越しに室内側固定部２１ｄが枠体２側から視認可能であるとともに、室内側固定部２１ｄの周りに位置する室内対向部１３ｆも開口２１ｅと対向するように構成されている。
【００３３】
受け部材２２は、図１、図４に示すように、上下方向に間隔を隔てて設けられ枠体対向部２ａに当接されてビス止めされる、上固定部２２ａ及び下固定部２２ｂと、上固定部２２ａの下縁及び下固定部２２ｂの上縁から各々、枠体２に直交して延出された２つの水平延出部２２ｃと、延出された２つの水平延出部２２ｃの先端を上下に繋ぐ上下連結板部２２ｄとを有している。
【００３４】
上下連結板部２２ｄには、上下方向の中央側の部位を屋内側に切り欠いた切り欠き部２２ｅが設けられている。より具体的には、上下の水平延出部２２ｃと繋がって、見付け方向において同じ幅をなす上下の垂壁部２２ｆと、上下の垂壁部２２ｆ間を、室外側にて繋ぐ連結狭幅部２２ｇとを有している。このとき、上の垂壁部２２ｆの下縁と、下の垂壁部２２ｆの上縁との間隔は、係合部材２１の上下方向の幅より僅かに広く形成されている。
【００３５】
引き寄せ部材２０は、図５に示すように、開いた状態の障子１０を閉じる際に、戸尻側の縦枠３に設けられている受け部材２２の切り欠き部２２ｅに、係合部材２１の係合部２１ｂと室内側板部２１ｃとが繋がった先端部分がまず進入する。障子１０が閉じられた状態に近づくにつれて係合部材２１の係合部２１ｂが受け部材２２の連結狭幅部２２ｇの室内係合部２１ｂが連結狭幅部２２ｇの室内側の縁２２ｈを摺動しつつ係合部材２１が切り欠き部２２ｅに更に進入し障子１０の戸尻側が室内側に引き寄せられる。側の縁２２ｈ（図４）に近接する。更に障子１０を閉じることにより、係合部材２１のそして、障子１０の戸先側がロック機構６（図１）に保持されるときには、図６に示すように、係合部材２１が受け部材２２により室内側に引き寄せた状態で障子１０が保持される。
【００３６】
本実施形態のすべり出し窓用の建具１によれば、障子１０を閉じた状態にて当該障子１０を枠体２側に引き寄せる引き寄せ部材２０を有しているので、障子１０を閉じた際には障子１０を枠体２側に引き寄せて、より確実に障子１０を閉止した状態を維持することが可能である。そして、引き寄せ部材２０は、框体１２に設けられた金属製の係合部材２１と、枠体２に設けられ係合部材２１と係合する金属製の受け部材２２とでなり、各々、縦枠３の中空部３ａ及び縦框１３の室内側中空部１３ａと外周側中空部１３ｃ内に設けられた金属製の補強部材５、１６、１７に固定されているので、たとえ、縦枠３及び縦框１３が加熱されて溶融するような場合であっても、係合部材２１及び受け部材２２は、脱落しない。このため、建具１が火炎に晒されたとしても障子１０が閉止された状態を維持することが可能である。このとき、縦枠３及び縦框１３と補強部材５、１６との間に加熱発泡材１８が介在されているので、建具１が加熱された際には、縦枠３及び縦框１３との間の空隙１ａ内に加熱発泡材１８が発泡する。このため、縦枠３及び縦框１３との間の空隙１ａ内に加熱発泡材１８を充満させることが可能である。特に、係合部材２１には、縦框１３に設けられた補強部材１６との間に介在された加熱発泡材１８が発泡して当該係合部材２１より枠体２側に膨出することを許容する開口２１ｅが設けられているので、係合部材２１及び受け部材２２が固定されている部位であっても、縦枠３及び縦框１３との間の空隙内に加熱発泡材１８をより充満させることが可能である。このため、建具１が火炎等により加熱されたとしても、枠体２と框体１２との間には、貫通孔が形成されないので、防火性に優れたすべり出し窓用の建具１を提供することが可能である。
【００３７】
また、係合部材２１と受け部材２２とは、互いに係合した状態で、枠体２側に固定されている受け部材２２の下固定部２２ｂ、下の水平延出部２２ｃ、及び、下の垂壁部２２ｆ
が、框体１２に固定されている係合部材２１より下側に位置している。このため、枠体２及び框体１２が加熱されて軟化して框体１２の位置が下がったときには、係合部材２１と受け部材２２とが係合することにより、係合部材２１が固定されている框体１２が、下側に位置している受け部材２２固定されている枠体２に支持される。このため、枠体２及び框体１２が加熱された際の障子１０の降下を抑えることが可能である。
【００３８】
また、係合部材２１は、框体１２の、見込み方向に並ぶ室内側中空部１３ａと外周側中空部１３ｃ内に各々に備えられた補強部材１６、１７に少なくとも２カ所で固定されているので、框体１２に安定した状態で且つ強固に固定することが可能である。また、室内側固定部２１ｄは、係合部材２１の、見付け方向に貫通する開口２１ｅと見付け方向に対向する位置で固定されるので、開口２１ｅの内側に位置するように設けられている。このため、室内側固定部２１ｄを開口２１ｅの外側に配置する場合より係合部材２１を小さくすることが可能であり、係合部材２１が覆って、加熱発泡材１８の発泡が妨げられる面積をより小さくすることができるので、防火性を高めることが可能である。また、係合部材２１を小さくすることができるのでコストを低減することが可能である。
【００３９】
上記実施形態においては、框体１２側に係合部材２１を設け枠体２側に受け部材２２を設けた例について説明したが、これに限らず、枠体側に係合部材を設け框体側に受け部材を設けてもよい。
【００４０】
また、係合部材２１が備える膨出許容部を外周固定部２１ａと係合部２１ｂとに繋がって設けられた開口２１ｅとしたが、これに限るものではない。例えば、上方または下方から切り欠かれた切り欠きであっても良い。また、膨出許容部は、外周固定部２１ａと係合部２１ｂとだけでなく室内側板部２１ｃに至るように設けられていてもよい。このように、係合部材は、障子を閉じる際に受け部材と摺動した後に受け部材により室内側に引き寄せられるだけの強度を有して見付け方向に開放されていることが望ましい。そして、室内側固定部が、見付け方向に開放された膨出許容部と見付け方向に対向する位置で固定できる位置に設けられていることがより好ましい。
【００４１】
上記実施形態においては、受け部材２２が室内側に切り欠き部２２ｅを有する例について説明したが、これに限らず、例えば、図７（ａ）に示すように、上下連結板部２２ｄの見込み方向における両端部２２ｉが繋がった開口２２ｊを有する受け部材２２１や、図７（ｂ）に示すように、上下連結板部２２ｄの見込み方向における両端部２２ｉが、取り付けられる枠体対向部２ａ側に折り曲げられた受け部材２２２であっても良い。
【００４２】
上記実施形態においては、加熱発泡材１８が枠体２及び框体１２が有する中空部３ａ、１３ａ内に備えられた補強部材５、１６に設けられている例について説明したが、これに限らず、例えば室内対向部１３ｆなど、枠体２が有する補強部材５と框体１２が有する補強部材１６との間に設けられていればよい。
【００４３】
上記実施形態においては、たてすべり出し窓用の建具１を例に挙げて説明したが、これに限らず、例えば、開き窓、すべり出し窓等の建具や、ドア等であっても構わない。
【００４４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４５】
１  建具、２  枠体、３  縦枠、３ａ  中空部、５  補強部材、１０  障子、
１１  ガラス、１１ａ  周端部、１２  框体、１３  縦框、１３ａ  室内側中空部、
１３ｃ  外周側中空部、１６  補強部材、１７  補強部材、１８  加熱発泡材、
２０  引き寄せ部材、２１  係合部材、２１ａ  外周固定部、２１ｂ  係合部、
２１ｄ  室内側固定部、２１ｅ  開口、２２  受け部材、２２１  受け部材、
２２２  受け部材
【図１】
2015048572.tif 000003
【図２】
2015048572.tif 000004
【図３】
2015048572.tif 000005
【図４】
2015048572.tif 000006
【図５】
2015048572.tif 000007
【図６】
2015048572.tif 000008
【図７】
2015048572.tif 000009